(57)【特許請求の範囲】
【請求項１】
インターレース方式の映像信号を再生するもので、再生速度が可変可能な再生手段と、
前記再生手段で再生されたインターレース方式の映像信号をプログレッシブ方式の映像信号に変換する通常再生状態と、前記再生手段で再生されたインターレース方式の映像信号を前記通常再生状態よりも高画質なプログレッシブ方式の映像信号に変換する画質優先再生状態と、前記再生手段で再生されたインターレース方式の映像信号をプログレッシブ方式の映像信号に変換せずに出力する動き優先再生状態とに選択的に切り替え制御される変換手段と、
前記再生手段で再生されるインターレース方式の映像信号の再生速度が、通常再生速度とそれよりも予め設定された所定速度だけ速い速度との間にある場合、前記変換手段を通常再生状態に切り替え、前記再生手段で再生されるインターレース方式の映像信号の再生速度が、通常再生速度よりも低速である場合、前記変換手段を画質優先再生状態に切り替え、前記再生手段で再生されるインターレース方式の映像信号の再生速度が、通常再生速度から前記所定速度だけ速い速度よりも高速である場合、前記変換手段を動き優先再生状態に切り替える制御手段とを具備することを特徴とする映像再生装置。
【請求項２】
前記制御手段は、
前記再生手段で再生されるインターレース方式の映像信号の再生速度が、通常再生速度の０倍より大きく１倍未満であるとき、前記変換手段を画質優先再生状態に切り替え、
前記再生手段で再生されるインターレース方式の映像信号の再生速度が、通常再生速度の１倍以上で２倍未満であるとき、前記変換手段を通常再生状態に切り替え、
前記再生手段で再生されるインターレース方式の映像信号の再生速度が、通常再生速度の２倍以上であるとき、前記変換手段を動き優先再生状態に切り替えるように制御することを特徴とする請求項１記載の映像再生装置。
【請求項３】
前記変換手段は、前記画質優先再生状態に切り替えられたとき、動き補償処理に用いる画素探索範囲を、通常再生状態のときよりも拡大することにより、前記再生手段で再生されたインターレース方式の映像信号を前記通常再生状態よりも高画質なプログレッシブ方式の映像信号に変換することを特徴とする請求項１記載の映像再生装置。
【請求項４】
前記変換手段は、停止状態を含み、
前記制御手段は、前記再生手段から映像信号が出力されていないとき、前記変換手段を停止状態に切り替えることを特徴とする請求項１記載の映像再生装置。
【請求項５】
再生速度が可変可能な再生手段により、インターレース方式の映像信号を再生する第１の工程と、
入力されたインターレース方式の映像信号をプログレッシブ方式の映像信号に変換する通常再生状態と、入力されたインターレース方式の映像信号を前記通常再生状態よりも高画質なプログレッシブ方式の映像信号に変換する画質優先再生状態と、入力されたインターレース方式の映像信号をプログレッシブ方式の映像信号に変換せずに出力する動き優先再生状態とに選択的に切り替え可能な変換手段に、前記再生手段で再生されたインターレース方式の映像信号を供給する第２の工程と、
前記再生手段で再生されるインターレース方式の映像信号の再生速度が、通常再生速度とそれよりも予め設定された所定速度だけ速い速度との間にある場合、前記変換手段を通常再生状態に切り替え、前記再生手段で再生されるインターレース方式の映像信号の再生速度が、通常再生速度よりも低速である場合、前記変換手段を画質優先再生状態に切り替え、前記再生手段で再生されるインターレース方式の映像信号の再生速度が、通常再生速度から前記所定速度だけ速い速度よりも高速である場合、前記変換手段を動き優先再生状態に切り替える第３の工程とを具備することを特徴とする映像再生方法。
【請求項６】
前記第３の工程は、
前記再生手段で再生されるインターレース方式の映像信号の再生速度が、通常再生速度の０倍より大きく１倍未満であるとき、前記変換手段を画質優先再生状態に切り替え、
前記再生手段で再生されるインターレース方式の映像信号の再生速度が、通常再生速度の１倍以上で２倍未満であるとき、前記変換手段を通常再生状態に切り替え、
前記再生手段で再生されるインターレース方式の映像信号の再生速度が、通常再生速度の２倍以上であるとき、前記変換手段を動き優先再生状態に切り替えるように制御することを特徴とする請求項５記載の映像再生方法。
【発明の詳細な説明】
【技術分野】
【０００１】
この発明は、インターレース方式の映像信号をプログレッシブ方式の映像信号に変換する映像再生装置及び映像再生方法に係り、特にその再生速度を可変可能としたものの改良に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（hard disk drive）のような大容量のデジタル記録機器を内蔵することにより、受信した番組をハードディスクにデジタル記録したり、ハードディスクに記録した番組を再生したりすることが可能となっている。
【０００４】
また、この種のデジタル放送受信装置では、ＩＰ（interlace progressive）変換機能が搭載される傾向にある。すなわち、デジタル記録機器の記録媒体に記録されているインターレース方式の映像信号を、プログレッシブ方式の映像信号に変換して映像表示機器に出力することにより、表示映像の高精細化を図るようにしている。
【０００５】
ところで、このようなＩＰ変換機能を搭載して表示映像の高画質化を図ったデジタル放送受信装置において、次に要望されることは、デジタル記録機器に通常再生動作だけでなくスロー再生や高速再生等の特殊再生動作を行なわせた場合も考慮して、表示映像の画質を向上させるように改良を施すことである。
【０００６】
特許文献１には、同一フィールドの映像信号を続けて入力するスロー再生の場合、出画したいフィールドとその前後のフィールドの映像を指示することにより、映像の切り変わり点でも、再生速度によらず、動き検出及びフィールド間の補間をしながら再生することができ、鮮明なスロー画像を得られるようにすることが開示されている。
【特許文献１】特開２００４−３０４７８８号公報
【発明の開示】
【発明が解決しようとする課題】
【０００７】
そこで、この発明は上記事情を考慮してなされたもので、映像信号の再生速度に応じてＩＰ変換処理部の挙動を適応的に変化させ、通常再生時よりも低速及び高速な再生動作を行なわせた場合に画質の向上を図り得るようにした映像再生装置及び映像再生方法を提供することを目的とする。
【課題を解決するための手段】
【０００８】
この発明に係る映像再生装置は、インターレース方式の映像信号を再生するもので、再生速度が可変可能な再生手段と；再生手段で再生されたインターレース方式の映像信号をプログレッシブ方式の映像信号に変換する通常再生状態と、再生手段で再生されたインターレース方式の映像信号を通常再生状態よりも高画質なプログレッシブ方式の映像信号に変換する画質優先再生状態と、再生手段で再生されたインターレース方式の映像信号をプログレッシブ方式の映像信号に変換せずに出力する動き優先再生状態とに選択的に切り替え制御される変換手段と；再生手段で再生されるインターレース方式の映像信号の再生速度が、通常再生速度とそれよりも予め設定された所定速度だけ速い速度との間にある場合、変換手段を通常再生状態に切り替え、再生手段で再生されるインターレース方式の映像信号の再生速度が、通常再生速度よりも低速である場合、変換手段を画質優先再生状態に切り替え、再生手段で再生されるインターレース方式の映像信号の再生速度が、通常再生速度から所定速度だけ速い速度よりも高速である場合、変換手段を動き優先再生状態に切り替える制御手段とを備えるようにしたものである。
【０００９】
また、この発明に係る映像再生方法は、再生速度が可変可能な再生手段により、インターレース方式の映像信号を再生する第１の工程と；入力されたインターレース方式の映像信号をプログレッシブ方式の映像信号に変換する通常再生状態と、入力されたインターレース方式の映像信号を通常再生状態よりも高画質なプログレッシブ方式の映像信号に変換する画質優先再生状態と、入力されたインターレース方式の映像信号をプログレッシブ方式の映像信号に変換せずに出力する動き優先再生状態とに選択的に切り替え可能な変換手段に、再生手段で再生されたインターレース方式の映像信号を供給する第２の工程と；再生手段で再生されるインターレース方式の映像信号の再生速度が、通常再生速度とそれよりも予め設定された所定速度だけ速い速度との間にある場合、変換手段を通常再生状態に切り替え、再生手段で再生されるインターレース方式の映像信号の再生速度が、通常再生速度よりも低速である場合、変換手段を画質優先再生状態に切り替え、再生手段で再生されるインターレース方式の映像信号の再生速度が、通常再生速度から所定速度だけ速い速度よりも高速である場合、変換手段を動き優先再生状態に切り替える第３の工程とを備えるようにしたものである。
【発明の効果】
【００１０】
上記した発明によれば、インターレース方式の映像信号の再生速度が、通常再生速度とそれよりも予め設定された所定速度だけ速い速度との間にある場合、変換手段を通常再生状態に切り替え、再生手段で再生されるインターレース方式の映像信号の再生速度が、通常再生速度よりも低速である場合、変換手段を画質優先再生状態に切り替え、再生手段で再生されるインターレース方式の映像信号の再生速度が、通常再生速度から所定速度だけ速い速度よりも高速である場合、変換手段を動き優先再生状態に切り替えるようにしている。このため、映像信号の再生速度に応じてＩＰ変換処理部の挙動を適応的に変化させることができ、通常再生時よりも低速及び高速な再生動作を行なわせた場合に画質の向上を図ることが可能となる。
【発明を実施するための最良の形態】
【００１１】
以下、この発明の実施の形態について図面を参照して詳細に説明する。図１は、この実施の形態で説明するデジタル放送受信装置１１の概略を示している。すなわち、アンテナ１２で受信したデジタル放送信号は、入力端子１３を介してデジタルチューナ１４に供給されることにより、所望のチャンネルの放送信号が選局される。このチューナ１４で選局された放送信号は、分離処理部１５に供給されて映像信号と音声信号とに分離される。
【００１２】
このうち、映像信号は、デコーダ部１６に供給されて後述するデコード処理が施された後、信号処理部１７に供給されて所定のデジタル信号処理が施される。そして、信号処理部１７から出力された映像信号は、グラフィック処理部１８に供給されて所定のＯＳＤ（on screen display）信号が重畳された後、映像出力端子１９を介して映像表示部２０に供給され映像表示に供される。
【００１３】
また、上記分離処理部１５で分離された音声信号は、信号処理部２１に供給されて所定のデジタル信号処理が施される。そして、信号処理部２１から出力された音声信号は、音声出力端子２２を介してスピーカ２３に供給され音声再生に供される。
【００１４】
ここで、このデジタル放送受信装置１１は、上記した受信動作を含むその全ての動作を制御部２４によって統括的に制御されている。この制御部２４は、ＣＰＵ（central processing unit）２４ａを内蔵しており、デジタル放送受信装置１１の本体に設置された操作部２５から得られる操作情報、または、リモートコントローラ２６から送出され受光部２７で受信した操作情報を受けて、その操作内容が反映されるように各部をそれぞれ制御している。
【００１５】
この場合、制御部２４は、主として、メモリ部２４ｂを利用している。そのメモリ部２４ｂは、ＣＰＵ２４ａが実行する制御プログラムを格納したＲＯＭ（read only memory）と、該ＣＰＵ２４ａに作業エリアを提供するＲＡＭ（random access memory）と、各種の設定情報及び制御情報等が格納される不揮発性メモリとを有している。
【００１６】
また、上記制御部２４には、ＨＤＤ２８が接続されている。この制御部２４は、ユーザによる操作部２５またはリモートコントローラ２６の操作に基づいて、上記デコーダ部１６から得られる映像信号と上記信号処理部２１から得られる音声信号とを、ＨＤＤ２８に供給してハードディスク２８ａに記録させるように制御することができる。
【００１７】
さらに、この制御部２４は、ユーザによる操作部２５またはリモートコントローラ２６の操作に基づいて、ＨＤＤ２８によりハードディスク２８ａから映像信号及び音声信号を読み出させ、デコーダ部１６及び信号処理部２１にそれぞれ供給して映像表示及び音声再生に供させるように制御することができる。
【００１８】
また、上記制御部２４は、デコーダ制御部２４ｃを有している。このデコーダ制御部２４ｃは、ＨＤＤ２８によりハードディスク２８ａに記録されている映像信号を再生する際に、ユーザの設定した再生速度に応じて、デコーダ部１６内におけるＩＰ変換処理部１６ｃの挙動を適応的に制御するように機能する。
【００１９】
図２は、上記デコーダ部１６の一例を示している。すなわち、上記分離処理部１５で分離された映像信号、または、ハードディスク２８ａから読み出された映像信号は、入力端子１６ａを介してストリームデコーダ部１６ｂに供給される。このストリームデコーダ部１６ｂは、入力された映像信号にデコード処理を施して非圧縮の映像信号を生成し、ＩＰ変換処理部１６ｃに出力している。
【００２０】
このＩＰ変換処理部１６ａは、入力されたインターレース方式の映像信号をプログレッシブ方式の映像信号に変換するもので、例えば、インターレース方式の１秒間に６０フィールド（３０フレーム）の映像信号を入力した場合、その映像信号を、１秒間に６０フレームのプログレッシブ方式の映像信号に変換するように機能する。
【００２１】
一般的に、ＩＰ変換では、インターレース方式で間引かれている走査線を、その周辺の走査線に基づいて補間する処理を行なっている。ここでは、走査線の補間方式として、映像の動きに応じて補間内容を切り替える動き補償方式を用いるものとする。動き補償方式の例としては、ＩＰ変換の対象となるフィールドフレームに対して、その前後のフィールド信号との間で画素単位に動きベクトルを求めて補間内容を計算する方法がある。
【００２２】
また、このＩＰ変換処理部１６ｃは、上記ハードディスク２８ａに記録されている映像信号を再生する際に、ユーザの設定した再生速度に応じてデコーダ制御部２４ｃから出力される制御信号が、制御端子１６ｄを介して供給されることにより、その挙動が制御されるようになっている。
【００２３】
そして、このＩＰ変換処理部１６ｃから出力された映像信号は、動画像出力部１６ｅに供給されて所定の動画像処理が施された後、出力端子１６ｆを介して上記信号処理部１７に供給される。
【００２４】
次に、ハードディスク２８ａから映像信号を再生する速度に応じて、ＩＰ変換処理部１６ｃの挙動を適応的に制御することについて説明する。すなわち、ＩＰ変換処理部１６ｃは、図３に示すように、停止状態、通常再生状態、画質優先再生状態及び動き優先再生状態の４つの状態に選択的に切り替えて設定することができる。そして、ある状態から他のいずれの状態にも遷移することができる。
【００２５】
図４は、ハードディスク２８ａから映像信号を再生する再生速度と、ＩＰ変換処理部１６ｃの状態との対応関係を示している。この場合、ユーザが再生速度を設定すると、その設定された再生速度に対応する制御信号がデコーダ制御部２４ｃから出力され、制御端子１６ｄを介してＩＰ変換処理部１６ｃに供給される。これにより、ＩＰ変換処理部１６ｃは、再生速度に応じた状態に設定されることになる。
【００２６】
そして、再生速度が通常再生速度の０倍、つまり、ハードディスク２８ａから映像信号が再生されていない場合、ＩＰ変換処理部１６ｃは停止状態となる。また、再生速度が通常再生速度の０倍より大きく１倍未満の場合、つまり、通常再生時よりも再生速度が遅いスロー再生の場合、ＩＰ変換処理部１６ｃは画質優先再生状態となる。さらに、再生速度が通常再生速度の１倍以上で２倍未満の場合、ＩＰ変換処理部１６ｃは通常再生状態となる。また、再生速度が通常再生速度の２倍以上の場合、ＩＰ変換処理部１６ｃは動き優先再生状態となる。
【００２７】
ここで、ＩＰ変換処理部１６ｃの各状態について説明する。まず、停止状態は、ＩＰ変換処理が実行されていない状態である。また、通常再生状態は、入力されたフィールド形式の全ての映像信号に対してＩＰ変換処理を施し、プログレッシブ方式の映像信号として出力する。
【００２８】
さらに、画質優先再生状態は、個々の入力フィールド形式の映像信号に対するＩＰ変換処理を、動き補償処理における画素毎の探索範囲を広げて行なうものである。これは、ＩＰ変換処理部１６ｃに設定される各種パラメータを、通常再生状態と異なる値に設定することで実現される。動き補償処理において探索範囲を広げることにより、個々の入力フィールド形式の映像信号毎の処理量は増大するが、スロー再生であるため処理時間に余裕が見込めるとともに、ＩＰ変換結果として出力される個々のプログレッシブ形式フレームの画質向上を期待することができる。
【００２９】
また、動き優先再生状態は、入力されたフィールド形式の映像信号に対してＩＰ変換処理を施さず、フィールド形式のままの映像信号として出力する。これは、動き優先、つまり、出力映像の時間的な滑らかさを重視するためには、個々のフィールド形式の映像信号にＩＰ変換処理を施してプログレッシブ形式フレームの画質を向上させるよりも、時間的に連続したフィールド形式の映像信号を出力するほうが、表示映像が滑らかに見えるためである。
【００３０】
これにより、再生速度が通常再生速度の０倍、つまり、ハードディスク２８ａからの映像信号の再生が行なわせていない停止状態の場合、ＩＰ変換処理部１６ｃは停止状態にある。また、ユーザが、通常再生時よりも再生速度を速くして映像表示を行なう高速再生を要求した場合、デコーダ制御部２４ｃに対して再生速度が通常再生速度の１倍以上の値が設定されることになる。このとき、デコーダ制御部２４ｃからは、ＩＰ変換処理部１６ｃに対して、以下のような制御信号が供給されることになる。
【００３１】
まず、再生速度が通常再生速度の１倍以上で２倍未満のとき、デコーダ制御部２４ｃはＩＰ変換処理部１６ｃに対して通常再生状態で動作することを指示する制御信号を発生する。すると、ＩＰ変換処理部１６ｃは、入力されるフィールド形式の全ての映像信号に対してＩＰ変換処理を施し、プログレッシブ形式の映像信号を出力するように動作する。この場合、ＩＰ変換処理部１６ｃで出力されたプログレッシブ形式の映像信号を入力された動画像出力部１６ｅは、映像表示部２０への出力タイミングに合わせて、入力されたフレーム形式の映像信号を間引く処理を実行する。
【００３２】
また、再生速度が通常再生速度の２倍以上のとき、デコーダ制御部２４ｃはＩＰ変換処理部１６ｃに対して動き優先再生状態で動作することを指示する制御信号を発生する。すると、ＩＰ変換処理部１６ｃは、入力されるフィールド形式の全ての映像信号に対してＩＰ変換処理を施さず、インターレース形式のままの映像信号を出力するように動作する。この場合、ＩＰ変換処理部１６ｃで出力されたインターレース形式の映像信号を入力された動画像出力部１６ｅは、映像表示部２０への出力タイミングに合わせて、入力された映像信号を間引く処理を実行する、
一方、ユーザが、通常再生時よりも再生速度を遅くして映像表示を行なうスロー再生を要求した場合、デコーダ制御部２４ｃに対して再生速度として通常再生速度の０倍より大きく１倍未満の値が設定されることになる。スロー再生においては、表示される個々のフレームの表示時間が長くなることから、個々のフレームの画質を向上させることが必要となる。再生速度が０倍より大きく１倍未満である場合、デコーダ制御部２４ｃはＩＰ変換処理部１６ｃに対して画質優先再生状態で動作することを指示する制御信号発生する。
【００３３】
すると、ＩＰ変換処理部１６ｃでは、画質優先再生状態になった場合、動き補償処理に用いる探索範囲を拡大する。例えば、探索範囲を通常再生状態で±４画素とした場合、画質優先再生状態では±８画素とする。このような画質優先再生状態で、ＩＰ変換処理部１６ｃにフィールド形式の映像信号が入力されると、動きベクトルを求めるための画素探索範囲が拡大されることから、個々のフィールド形式の映像信号のＩＰ変換処理の処理量は増大するが、画素探索範囲の拡大により、より適切な補間情報が選択されることから、補間後に出力されるプログレッシブ形式の映像信号の画質を向上させることが可能となる。
【００３４】
上記した実施の形態によれば、再生速度に応じてＩＰ変換処理部１６ｃの挙動を適応的に変化させ、動きを優先する高速再生においてはＩＰ変換を行なわないようにしたので、個々の入力フレームに要する処理を削減して処理対象フレーム数を増大し、滑らかな動きのある表示が可能となる。また、動きの滑らかさよりも個々のフレーム画質を優先するスロー再生においては、個々のフレームに要する処理を増やすことで画質を向上させることが可能となる。要するに、通常再生時よりも低速及び高速な再生動作を行なわせた場合に画質の向上を図ることが可能となる。
【００３５】
図５は、再生速度に応じてＩＰ変換処理部１６ｃの挙動を適応的に制御する処理動作をまとめたフローチャートを示している。すなわち、処理が開始（ステップＳ１）され、ステップＳ２で、ユーザにより再生速度が設定されると、デコーダ制御部２４ｃは、ステップＳ３で、設定された再生速度に応じて、図４に示した対応関係に基づいてＩＰ変換処理部１６ｃの状態を設定する。その後、デコーダ制御部２４ｃは、ステップＳ４で、設定された状態に対応した制御信号をＩＰ変換処理部１６ｃに供給して処理を行なわせ、ステップＳ３の処理に戻される。
【００３６】
図６は、上記ステップＳ３の処理の具体例を示している。すなわち、処理が開始（ステップＳ３ａ）されると、デコーダ制御部２４ｃは、ステップＳ３ｂで、設定された再生速度が通常再生速度の０倍であるか否かを判別し、０倍であると判断された場合（ＹＥＳ）、ステップＳ３ｃで、ＩＰ変換処理部１６ｃの状態を停止に設定して処理を終了（ステップＳ３ｉ）する。
【００３７】
また、上記ステップＳ３ｂで、設定された再生速度が０倍でないと判断された場合（ＮＯ）、デコーダ制御部２４ｃは、ステップＳ３ｄで、設定された再生速度が通常再生速度の０倍＜速度＜１倍であるか否かを判別し、０倍＜速度＜１倍であると判断された場合（ＹＥＳ）、ステップＳ３ｅで、ＩＰ変換処理部１６ｃの状態を画質優先再生に設定して処理を終了（ステップＳ３ｉ）する。
【００３８】
さらに、上記ステップＳ３ｄで、設定された再生速度が０倍＜速度＜１倍でないと判断された場合（ＮＯ）、デコーダ制御部２４ｃは、ステップＳ３ｆで、設定された再生速度が通常再生速度の１倍≦速度＜２倍であるか否かを判別し、１倍≦速度＜２倍であると判断された場合（ＹＥＳ）、ステップＳ３ｇで、ＩＰ変換処理部１６ｃの状態を通常再生に設定して処理を終了（ステップＳ３ｉ）する。
【００３９】
また、上記ステップＳ３ｆで、設定された再生速度が１倍≦速度＜２倍でないと判断された場合（ＮＯ）、デコーダ制御部２４ｃは、ステップＳ３ｈで、ＩＰ変換処理部１６ｃの状態を動き優先再生に設定して処理を終了（ステップＳ３ｉ）する。
【００４０】
図７は、上記ステップＳ４の処理の具体例を示している。すなわち、処理が開始（ステップＳ４ａ）されると、デコーダ制御部２４ｃは、ステップＳ４ｂで、ＩＰ変換処理部１６ｃの状態が停止に設定されているか否かを判別し、停止であると判断された場合（ＹＥＳ）、ステップＳ４ｃで、ＩＰ変換処理部１６ｃに停止に対応する制御信号を供給して停止させ処理を終了（ステップＳ４ｉ）する。
【００４１】
また、上記ステップＳ４ｂで、ＩＰ変換処理部１６ｃの状態が停止に設定されていないと判断された場合（ＮＯ）、デコーダ制御部２４ｃは、ステップＳ４ｄで、ＩＰ変換処理部１６ｃの状態が画質優先再生に設定されているか否かを判別し、画質優先再生であると判断された場合（ＹＥＳ）、ステップＳ４ｅで、ＩＰ変換処理部１６ｃに画質優先再生に対応する制御信号を供給して画質優先再生処理を行なわせ処理を終了（ステップＳ４ｉ）する。
【００４２】
さらに、上記ステップＳ４ｄで、ＩＰ変換処理部１６ｃの状態が画質優先再生に設定されていないと判断された場合（ＮＯ）、デコーダ制御部２４ｃは、ステップＳ４ｆで、ＩＰ変換処理部１６ｃの状態が通常再生に設定されているか否かを判別し、通常再生であると判断された場合（ＹＥＳ）、ステップＳ４ｇで、ＩＰ変換処理部１６ｃに通常再生に対応する制御信号を供給して通常再生処理を行なわせ処理を終了（ステップＳ４ｉ）する。
【００４３】
また、上記ステップＳ４ｆで、ＩＰ変換処理部１６ｃの状態が通常再生に設定されていないと判断された場合（ＮＯ）、デコーダ制御部２４ｃは、ステップＳ４ｈで、ＩＰ変換処理部１６ｃに動き優先再生に対応する制御信号を供給して動き優先再生処理を行なわせ処理を終了（ステップＳ４ｉ）する。
【００４４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４５】
【図１】この発明の実施の形態を示すもので、デジタル放送受信装置の概略を説明するために示すブロック構成図。
【図２】同実施の形態におけるデジタル放送受信装置のデコーダ部の一例を説明するために示すブロック構成図。
【図３】同実施の形態におけるデジタル放送受信装置のデコーダ部内のＩＰ変換処理部の取り得る各種の状態を説明するために示す図。
【図４】同実施の形態におけるデジタル放送受信装置のＨＤＤの再生速度とＩＰ変換処理部の各状態との対応関係を説明するために示す図。
【図５】同実施の形態におけるデジタル放送受信装置のＩＰ変換処理部の制御動作を説明するために示すフローチャート。
【図６】同実施の形態におけるデジタル放送受信装置のＩＰ変換処理部の制御動作の詳細を説明するために示すフローチャート。
【図７】同実施の形態におけるデジタル放送受信装置のＩＰ変換処理部の制御動作の詳細を説明するために示すフローチャート。
【符号の説明】
【００４６】
１１…デジタル放送受信装置、１２…アンテナ、１３…入力端子、１４…デジタルチューナ、１５…分離処理部、１６…デコーダ部、１６ａ…入力端子、１６ｂ…ストリームデコーダ部、１６ｃ…ＩＰ変換処理部、１６ｄ…制御端子、１６ｅ…動画像出力部、１６ｆ…出力端子、１７…信号処理部、１８…グラフィック処理部、１９…映像出力端子、２０…映像表示部、２１…信号処理部、２２…音声出力端子、２３…スピーカ、２４…制御部、２４ａ…ＣＰＵ、２４ｂ…メモリ部、２４ｃ…デコーダ制御部、２５…操作部、２６…リモートコントローラ、２７…受光部、２８…ＨＤＤ、２８ａ…ハードディスク。
【図１】
0004302163.tif 000002
【図２】
0004302163.tif 000003
【図３】
0004302163.tif 000004
【図４】
0004302163.tif 000005
【図５】
0004302163.tif 000006
【図６】
0004302163.tif 000007
【図７】
0004302163.tif 000008